(57)【要約】【課題】操作性が良くて意匠性が高い携帯用電動工具を提供すること。【解決手段】略円筒形の胴体部２Ａと該胴体部２Ａに側面視略Ｔ字状を成すよう連設されたハンドル部２Ｂを有するハウジング２の胴体部２Ａの内部に、モータと、該モータの駆動力を伝達する伝達機構部と、該伝達機構部よりモータの駆動力を伝達されるアンビル（先端工具保持部）１６を収容し、ハンドル部２Ｂの内部に、電力の供給を制御するスイッチを収容し、アンビル１６をハウジング２の胴体部２Ａの先端から前方へ部分的に突出させるとともに、胴体部２Ａをアンビル１６が突出する先端部に向かって外径が小さくなる先細り状に成形して成るインパクトドライバ（携帯用工具）１において、前記胴体部２Ａの先端部に亘る表面の側面に凸部２２を設け、該凸部２２の中央部に上下方向の長さが少なくとも１３ｍｍである楕円形の凹み２２ａを形成する。【選択図】図１
2008044024.tif 000002
【特許請求の範囲】
【請求項１】
前後方向に延びる略円筒形の胴体部と該胴体部に側面視略Ｔ字状を成すよう連設されたハンドル部を有するハウジングの前記胴体部の内部に、駆動源であるモータと、該モータの駆動力を伝達する伝達機構部と、該伝達機構部より前記モータの駆動力を伝達される先端工具保持部を収容し、前記ハンドル部の内部に、電力の供給を制御するスイッチを収容し、前記先端工具保持部をハウジングの前記胴体部の先端から前方へ部分的に突出させるとともに、前記胴体部を前記先端工具保持部が突出する先端部に向かって外径が小さくなる先細り状に成形して成る携帯用工具において、
前記胴体部の先端部に亘る表面の側面に凸部を設け、該凸部の中央部に上下方向の長さが少なくとも１３ｍｍである楕円形の凹みを形成したことを特徴とする携帯用工具。
【請求項２】
前記凸部に軟質層を設けたことを特徴とする請求項１記載の携帯用工具。
【請求項３】
前記ハウジングを、左右に２分割されたハウジングを接合一体化して構成するとともに、前記凸部から前記胴体部の上方に亘って連設された前記軟質層を前記左右のハウジングの合わせ面で接触するように設けたことを特徴とする請求項２記載の携帯用工具。
【請求項４】
前記凸部に前記ハウジングの他の部分に設けた軟質層と連設する軟質層を設けたことを特徴とする請求項１〜３の何れかに記載の携帯用工具。
【請求項５】
前記ハウジングの胴体部の先端部外部に円筒状のカバー部材を取り付け、該カバー部材の少なくとも一部で前記凸部に設けた前記軟質層と前記ハウジングの他の部分に設けた前記軟質層を連結する部分を覆ったことを特徴とする請求項２〜４の何れかに記載の携帯用工具。
【発明の詳細な説明】
【技術分野】
【０００１】
本発明は、所謂Ｔ字形ハンドルを備えた携帯用電動工具に関するものである。
【背景技術】
【０００２】
従来の携帯用電動工具の一例としてインパクトドライバを図９及び図１０に基づいて説明する。尚、図９は従来のインパクトドライバの側面図、図１０は同インパクトドライバの内部構造を示す側断面図である。
【０００３】
図９及び図１０に示すインパクトドライバ１’は、外形を形成する外枠であるハウジング２とカバー部材であるハンマケース３を有しており、ハウジング２は、前後方向に延びる略円筒形の胴体部２Ａと、該胴体部２Ａに側面視略Ｔ字状を成すように連接されたハンドル部２Ｂで構成されている。そして、ハウジング２の胴体部２Ａの内部には、駆動源であるモータ４と、該モータ４の回転を減速させる遊星歯車機構５と、該遊星歯車機構５によって減速されたモータ４の回転を回転打撃力に変換して先端工具であるビット６に伝達する回転打撃機構を内蔵している。尚、ハウジング２の胴体部２Ａの後方（図１０の左方）には複数の風窓７が形成されている。
【０００４】
又、ハウジング２のハンドル部２Ｂの内部には、図１０に示すように、上部にトリガ８を有するスイッチ９が、下部にバッテリ受け部１０がそれぞれ収容されおり、ハンドル部２Ａの下端には充電可能な電源であるバッテリ１１が着脱可能に装着されている。
【０００５】
而して、斯かるインパクトドライバ１’において、作業者がトリガ８をＯＮ操作してモータ４を起動すると、該モータ４の出力軸（モータ軸）４ａの回転は、遊星歯車機構５によって減速されてスピンドル１２に伝達され、該スピンドル１２が所定の速度で回転駆動される。ここで、スピンドル１２とハンマ１３とはカム機構によって連結されており、このカム機構は、スピンドル１２の外周面に形成されたＶ字状のスピンドルカム溝１２ａとハンマ１３の内周面に形成されたＶ字状のハンマカム溝１３ａ及びこれらのカム溝１２ａ，１３ａに係合するボール１４で構成されている。
【０００６】
又、上記ハンマ１３は、スプリング１５によって常に先端方向（図１０の右方）に付勢されており、静止時にはボール１４とカム溝１２ａ，１３ａとの係合によってアンビル１６の端面と隙間を隔てた位置にある。そして、ハンマ１３とアンビル１６の相対向する回転平面上の２箇所には凸部がそれぞれ対称的に形成されている。尚、アンビル１６には先端工具である前記ビット６が着脱可能に装着されている。
【０００７】
ところで、前述のようにスピンドル１２が所定の速度で回転駆動されると、このスピンドル１２の回転は、前記カム機構を介してハンマ１３に伝達され、該ハンマ１３が半回転しないうちに、該ハンマ１３の凸部がアンビル１６の凸部に係合して該アンビル１６が回転されるが、そのときの係合反力によってハンマ１３とスプリング１５との間に相対回転が生ずると、ハンマ１３は、カム機構のスピンドルカム溝１２ａに沿ってスプリング１５を圧縮しながらモータ４側へと後退を始める。
【０００８】
そして、ハンマ１３の後退動によって該ハンマ１３の凸部がアンビル１６の凸部を乗り越えて両者の係合が解除されると、ハンマ１３は、スピンドル１２の回転力に加えて、スプリング１５に蓄積された弾性エネルギーとカム機構の作用によって回転方向及び前方に急速に加速されつつ、スプリング１５の付勢力によって前方へと移動し、その凸部がアンビル１６の凸部に再び係合して一体的に回転し始める。このとき、強力な回転打撃力がアンビル１６に加えられるため、該アンビル１６に装着されたビット６を介して不図示のねじに回転打撃力が伝達される。
【０００９】
以後、同様の動作が繰り返されてビット６からねじに回転打撃力が間欠的に繰り返し伝達され、ねじが木材等の不図示の被締付材にねじ込まれる。
【００１０】
ところで、このような手持ち式のインパクトドライバ１’においては、ハウジング２の胴体部２Ａとハンドル部２Ｂを把握する作業者の手指の滑り止め、或は握り心地を良くして操作性及び作業性を向上させる目的で、図９に示すように、ハウジング２には硬質層１７よりも軟質であるエラストマ等から成る軟質層（斜線部）１８が全体的に形成されている。又、軟質のエラストマ等から成るプロテクタ１９をストッパ２１によってハウジング２の胴体部２Ａの前方に取り付け、このプロテクタ２Ａが建材等の被締付材の傷付き防止や当該インパクトドライバ１’を傾斜面に置いたときの滑り止めとして機能するようにしている。
【００１１】
特許文献１には、このようなインパクトドライバのハウジングの先端工具保持部先端から後方７ｃｍ以内の範囲の側面に凸部を形成する構成が提案されており、このように構成することによって、インパクトドライバに取り付けたビットをつまんで被締付材にあてがうときに手が引っ掛かって滑りにくくなり、操作性が高められる。
【００１２】
又、特許文献１には、ハウジングから凸となるように設けられた軟質層を、ハンドル部の後方と下方、ハンドル部の下方と胴体部の前方及び胴体部の前方と後方が各々繋がるように１つのハウジングに一体に設ける提案がなされており、これによればハウジングの成形型のゲートが１つで足りるため、多くのゲートに樹脂を残して無駄にすることがなくなる。
【特許文献１】特開２００５−１９９４０６号公報
【発明の開示】
【発明が解決しようとする課題】
【００１３】
ところで、図９及び図１０に示したインパクトドライバ１’のような打撃機構を有する携帯用工具を使用する際、図１１に示すように、インパクトドライバ１’の胴体部２Ａの側面凸部２０に指を当てて当該インパクトドライバ１’を把持する。具体的には、先端工具であるビット６を安定させるために、作業者の手の第二指を胴体部２Ａの側面に添え、第三指でトリガ８を引く場合がある。このとき、第二指を添えるプロテクタ１９の表面には波形状の凸部２０が複数設けられており、これらの凸部２０は滑り止めの効果を高めるために、プロテクタ１９の側面（左右方向の面）では高さが約０．５ｍｍ〜１ｍｍ程度に設定されている。
【００１４】
しかしながら、上記凸部２０の高さが不十分であるとともに、間隔が狭いために指の掛かりが悪く、滑り易いという問題があった。
【００１５】
又、プロテクタ１９の表面に凸部２０を形成するために、金型の雌型を分割しなければならず、金型代が高くなるという問題があった。
【００１６】
更に、ハウジング２から凸となるように設けられた軟質層１８を各々繋がるように１つのハウジング２に一体に設けると、軟質層１８を分割して設けた場合に比べて、見た目に軽快感がなく、意匠性が低くなるという問題もあった。
【００１７】
本発明は上記問題に鑑みてなされたもので、その目的とする処は、ハウジングの胴体部前方の側面に指を添えたときに滑りにくくて操作し易く、且つ、意匠性が高い携帯用電動工具を提供することにある。
【課題を解決するための手段】
【００１８】
上記目的を達成するため、請求項１記載の発明は、前後方向に延びる略円筒形の胴体部と該胴体部に側面視略Ｔ字状を成すよう連設されたハンドル部を有するハウジングの前記胴体部の内部に、駆動源であるモータと、該モータの駆動力を伝達する伝達機構部と、該伝達機構部より前記モータの駆動力を伝達される先端工具保持部を収容し、前記ハンドル部の内部に、電力の供給を制御するスイッチを収容し、前記先端工具保持部をハウジングの前記胴体部の先端から前方へ部分的に突出させるとともに、前記胴体部を前記先端工具保持部が突出する先端部に向かって外径が小さくなる先細り状に成形して成る携帯用工具において、前記胴体部の先端部に亘る表面の側面に凸部を設け、該凸部の中央部に上下方向の長さが少なくとも１３ｍｍである楕円形の凹みを形成したことを特徴とする。
【００１９】
請求項２記載の発明は、請求項１記載の発明において、前記凸部に軟質層を設けたことを特徴とする。
【００２０】
請求項３記載の発明は、請求項２記載の発明において、前記ハウジングを、左右に２分割されたハウジングを接合一体化して構成するとともに、前記凸部から前記胴体部の上方に亘って連設された前記軟質層を前記左右のハウジングの合わせ面で接触するように設けたことを特徴とする。
【００２１】
請求項４記載の発明は、請求項１〜３の何れかに記載の発明において、前記凸部に前記ハウジングの他の部分に設けた軟質層と連設する軟質層を設けたことを特徴とする。
【００２２】
請求項５記載の発明は、請求項２〜４の何れかに記載の発明において、前記ハウジングの胴体部の先端部外部に円筒状のカバー部材を取り付け、該カバー部材の少なくとも一部で前記凸部に設けた前記軟質層と前記ハウジングの他の部分に設けた前記軟質層を連結する部分を覆ったことを特徴とする。
【発明の効果】
【００２３】
請求項１記載の発明によれば、胴体部の先端部に亘る表面の側面に凸部を設け、該凸部の中央部に上下方向の長さが少なくとも１３ｍｍである楕円形の凹みを形成したため、作業者が第三指でトリガを引くときに第二指を凸部の凹みに添え易くて滑りにくくなり、先端工具を安定させることができて操作性が高められる。
【００２４】
請求項２記載の発明によれば、凸部に軟質層を設けるたため、該凸部による滑り止めの効果が高められるとともに、携帯用工具を横にして置いたときであっても、胴体部が直接地面等に接触することによる傷付きを防ぐことができる。
【００２５】
請求項３記載の発明によれば、ハウジングを、左右に２分割されたハウジングを接合一体化して構成するとともに、凸部から胴体部の上方に亘って連設された軟質層を左右のハウジングの合わせ面で接触するように設けたため、胴体部及び建材に対する保護効果が高められるとともに、左右の凸部を含む１つの部品が胴体部に被せたように見えるために意匠性が高められる。
【００２６】
請求項４記載の発明によれば、凸部に前記ハウジングの他の部分に設けた軟質層と連設する軟質層を設けたため、軟質層を独立して設けた場合に比べて金型のゲート数を少なく抑えることができ、金型代を低く抑えて生産コストを下げることができる。
【００２７】
請求項５記載の発明によれば、ハウジングの胴体部の先端部外部に取れ付けられたカバー部材の少なくとも一部で凸部に設けた軟質層とハウジングの他の部分に設けた軟質層を連結する部分を覆ったため、凸部に設けた軟質層がハウジングの他の部分に設けた軟質層と分割されているように見え、見た目に軽快感が出て意匠性が高められる。
【発明を実施するための最良の形態】
【００２８】
以下に本発明の実施の形態を添付図面に基づいて説明する。
【００２９】
図１は本発明に係る携帯用電動工具の一形態としてのインパクトドライバの側面図、図２は同インパクトドライバの正面図、図３は同インパクトドライバの内部構造を示す側断面図、図４は同インパクトドライバの胴体部側面の凸部に指を当てて把持した状態を示す側面図、図５は図４のＡ−Ａ線断面図、図６は同インパクトドライバの先端工具を被締付材にあてがう状態を示す斜視図、図７は同インパクトドライバのハウジングからストッパとプロテクタを取り外した状態を示す分解側面図である。
【００３０】
本実施の形態に係るインパクトドライバ１は、図３に示すように、外形を形成する外枠であるハウジング２とカバー部材であるハンマケース３の内部に、先端工具保持部であるアンビル１６と、該アンビル１６と同軸的に配置された駆動源であるモータ４と、該モータ４の出力軸（モータ軸）４ａの回転を減速して伝達する伝達機構部である遊星歯車機構５と、該遊星歯車機構５からの回転力を受けて回転するスピンドル１２とハンマ１３とで構成されるインパクト機構部を収容し、ハンマ１３によってアンビル１６及びこれに装着された先端工具であるビット６を回転打撃するものである。尚、本発明に係るインパクトドライバ１のハウジング２を除く他の構成及び動作は図９〜図１１に示した従来のインパクトドライバ１’のそれと同じであるため、図９〜図１１に示したものと同一要素には同一符号を付し、以下、それらについての再度の説明は省略する。
【００３１】
以下に本発明の特徴的な構成について説明する。
【００３２】
前記ハウジング２は、図１に示すように、前後方向に延びる略円筒状の胴体部２Ａと、該胴体部２Ａに側面視略Ｔ字状を成すように連接されたハンドル部２Ｂを有している。このハウジング２は、図２に示すように、左右のハウジング２ａとハウジング２ｂとに２分割されており、これらのハウジング２ａ，２ｂは不図示のねじによって接合一体化されている。そして、ハウジング２には、図１に示すように、胴体部２Ａと該胴体部２Ａから垂下するハンドル部２Ｂが形成されており、胴体部２Ａの後方（図１の右方、図３の左方）には複数の風窓７が形成され、ハンドル部２Ｂの内部には、図３に示すように、上部にトリガ８を有するスイッチ９が、下部にバッテリ受け部１０がそれぞれ収容されおり、ハンドル部２Ｂの下端には充電可能な電源であるバッテリ１１が着脱可能に装着されている。
【００３３】
左右に分割されたハウジング２ａ，２ｂは、図１に示すように、ナイロン樹脂等を射出成形して成る硬質層１７の上に、該硬質層１７よりも軟質であるエラストマ等から成る軟質層１８を射出成形して熱溶着させることによって構成されている。
【００３４】
上記軟質層１８の面積は、図１の方向から見てハウジング２全体の約６０％以上を占めており、この軟質層１８は、ハウジング２上で、ハンドル部２Ｂの全体から胴体部２Ａの下方、胴体部２Ａの下方から胴体部２Ａの後方及び胴体部２Ａの前方側面、胴体部２Ａの前方側面から胴体部２Ａの上方へと繋がるように設けられている。尚、他方のハウジング２ｂについても同様に、ハウジング２ａとほぼ対称となるように軟質層１８が設けられている。
【００３５】
上述のように、各ハウジング２ａ，２ｂの表面には軟質層１８が部分的に形成されているため、ハウジング２が周囲の建材Ｗ（図６参照）等に接触しても、軟質層１８が間に介在することによって、両者が互いに傷付け合ったり、破損したりすることがない。又、軟質層１８は繋がって一体とされているため、該軟質層１８の成形型における材料を型内に送る通路であるゲートの数を少なくすることができるとともに、該成形型の数を例えば１つに減らすことができる。
【００３６】
次に、ハウジング２の胴体部２Ａの前方の構成について説明する。
【００３７】
胴体部２Ａの一部であって、ハウジング２の前方に設けられた円筒状のカバー部材であるアルミニウム合金製のハンマケース３（図３及び図７参照）は、エラストマ等の軟質材から成る外枠であるプロテクタ１９によって覆われている。このプロテクタ１９は、弾性を有する固定手段であるストッパ２１によってハンマケース３に固定されており、ストッパ２１の内部に設けられた不図示の嵌合凹部をハンマケース３に設けられた不図示の嵌合凸部に係合させることによって確実に固定されている。尚、プロテクタ１９は、ハンマケース３と建材Ｗとが傷付け合うことを防ぐ機能と、滑り止め及びハンマケース３の熱を遮断する機能を果たす。
【００３８】
ハンマケース３とプロテクタ１９は、後方から前方に向かって外径が次第に小さくなる先細り状に成形されており、ハンマケース３の先端からは先端工具保持部であるアンビル１６が突出し、アンビル１６には先端工具であるビット６が着脱可能に取り付けられる。ここで、ハンマケース３とプロテクタ１９が先細り形状となっているのは、狭所作業でこれらが邪魔にならないことと、後方から見たときにビット６の先を見易くするためである。
【００３９】
而して、本発明は、ハウジング２の胴体部２Ａの側面に略楕円状の凸部２２を左右一対設けたことを特徴としており、各凸部２２は高さは０．５ｍｍ〜０．７ｍｍ程度に設定され、各凸部２２の中央部には凹み２２ａが形成されている。
【００４０】
そして、図５に示すように、前記各凸部２２の中央部の凹み２２ａの上下方向の長さＬを少なくとも１３ｍｍにすれば、図４に示すように作業者が右手の第三指でトリガ８を引くときに第二指を胴体部２Ａの側面に添えると、凸部２２の中央部の凹み２２ａに指が掛かるために指が滑りにくく、又、当該インパクトドライバ１が横方向に振れにくくなる。
【００４１】
又、図５に示すように、建材Ｗが接触し易い胴体部２Ａに、軟質層１８を一方のハウジング２ａの凸部２２から上面を経て他方のハウジング２ｂの凸部２２まで続くように形成することにより、作業時に硬質層１７の表面が建材Ｗに接触することによる該建材Ｗの傷付きを防ぐことができるとともに、当該インパクトドライバ１を地面に落としたときの衝撃を吸収して該インパクトドライバ１の破損を防ぐことができる。尚、図５に示すように、軟質層１８は、分割された左右のハウジング２ａ，２ｂの各側部に設けられた前記凸部２２から胴体部２Ａの上方に亘って連接されており、左右のハウジング２ａ，２ｂの合わせ面で接触するように設けられている。
【００４２】
そして、上述のように軟質層１８を設けることによって、外観的に左右の凸部２２を含む１つの部品を胴体部２Ａに被せたように見えるため、当該インパクトドライバ１の意匠性が高められる。
【００４３】
そして、図６に示すようにインパクトドライバ１に取り付けたビット６を作業者が左手でつまんでねじ２３にあてがうときに、ハウジング２の胴体部２Ａの左右に形成された凸部２２にそれぞれ第四指の先と第一指の付け根の部分が引っ掛かるために指が滑りにくくなるため、操作性が高められる
又、本実施の形態では、図７に示すように、プロテクタ１９の一部を硬質層１７の表面と軟質層１８ｃの表面に跨がって取り付ける構成を採用したため、軟質層１８ａを前記軟質層１８ｃを介して他の領域に形成した軟質層１８ｂと連結することができ、軟質層１８ａが独立している場合に比べて、金型のゲート数をより少なくすることができ、金型代を低く抑えて生産コストを下げることができる。更に、凸部２２及び該凸部２２の上方に連設された軟質層１８ａがハウジング２の他の領域に形成した軟質層１８ｂと分割されているように見えるため、見た目に軽快感が出て意匠性が高くなる。
【００４４】
尚、以上は本発明を特に充電式のバッテリを備えるコードレスのインパクトドライバに適用した形態について説明したが、図８に示すコード付きのインパクトドライバ１”に対しても本発明を同様に適用することができる。又、本発明は、インパクトドライバだけに適用が限定される訳ではなく、丸のこ、釘打機等の他の任意の携帯用工具に幅広く適用可能であることは勿論である。
【図面の簡単な説明】
【００４５】
【図１】本発明に係るインパクトドライバの側面図である。
【図２】本発明に係るインパクトドライバの正面図である。
【図３】本発明に係るインパクトドライバの内部構造を示す側断面図である。
【図４】本発明に係るインパクトドライバの胴体部側面の凸部に指を当てて把持した状態を示す側面図である。
【図５】図４のＡ−Ａ線断面図である。
【図６】本発明に係るインパクトドライバの先端工具を被締付材にあてがう状態を示す斜視図である。
【図７】本発明に係るインパクトドライバのハウジングからストッパとプロテクタを取り外した状態を示す分解側面図である。
【図８】本発明に係るコード付きインパクトドライバの側面図である。
【図９】従来のインパクトドライバの側面図である。
【図１０】従来のインパクトドライバの内部構造を示す側断面図である。
【図１１】従来のインパクトドライバの胴体部側面の凸部に指を当てて把持した状態を示す側面図である。
【符号の説明】
【００４６】
１，１”    インパクトドライバ（携帯用工具）
２          ハウジング
２Ａ        ハウジングの胴体部
２Ｂ        ハウジングのハンドル部
２ａ，２ｂ  分割されたハウジング
３          ハンマケース（カバー部材）
４          モータ（駆動源）
４ａ        モータ出力軸（モータ軸）
５          遊星歯車機構（伝達機構部）
６          ビット（先端工具）
７          風窓
８          トリガ
９          スイッチ
１０        バッテリ受け部
１１        バッテリ
１２        スピンドル
１２ａ      スピンドルカム溝
１３        ハンマ
１３ａ      ハンマカム溝
１４        ボール
１５        スプリング
１６        アンビル（先端工具保持部）
１７        硬質層
１８        軟質層
１９        プロテクタ
２０        凸部
２１        ストッパ
２２        凸部
２２ａ      凹み
２３        ねじ
Ｗ          建材
【図１】
2008044024.tif 000003
【図２】
2008044024.tif 000004
【図３】
2008044024.tif 000005
【図４】
2008044024.tif 000006
【図５】
2008044024.tif 000007
【図６】
2008044024.tif 000008
【図７】
2008044024.tif 000009
【図８】
2008044024.tif 000010
【図９】
2008044024.tif 000011
【図１０】
2008044024.tif 000012
【図１１】
2008044024.tif 000013